(57)【要約】【課題】タグを用いた認証システムにおいて、運用するタグが新たに追加される場合に、その追加されるタグを認証するための読取装置にその追加されるタグの識別情報を記憶させる必要があるが、追加されるタグを認証するための読取装置の数が多くなると、読取装置にタグの識別情報を記憶させる手間が多くなる。【解決手段】読取装置に新たに追加するタグの識別情報を記憶させると、その読取装置に対応付けられている読取装置は、その新たに追加されるタグの識別情報を記憶する。【選択図】図１１
2011175345.tif 000002
【特許請求の範囲】
【請求項１】
登録モードでない期間において、タグからタグ識別情報を受信したときに、当該タグ識別情報と自機が記憶している照合用タグ識別情報とが一致すれば、制御信号を外部に出力する第１読取装置と、
タグからタグ識別情報を受信したときに、当該タグ識別情報と自機が記憶している照合用タグ識別情報とが一致すれば、制御信号を外部に出力する第２読取装置とを備え、
前記第１読取装置は、登録モードの期間において、タグからタグ識別情報を受信したときに、受信したタグ識別情報を照合用タグ識別情報として記憶する一方、当該タグ識別情報を送信し、
前記第２読取装置は、前記第１読取装置から送信されたタグ識別情報を受信すると、受信したタグ識別情報を照合用タグ識別情報として記憶する
ことを特徴とする認証システム。
【請求項２】
前記認証システムは、さらに、
前記第１読取装置を識別するための第１読取装置識別情報と前記第２読取装置を識別するための第２読取装置識別情報とを対応付けて記憶する記憶手段を有し、タグ識別情報と共に前記第１読取装置識別情報を受信した場合に、前記記憶手段に当該第１読取装置識別情報と対応付けて記憶されている前記第２読取装置識別情報を参照して、前記受信したタグ識別情報を前記第２読取装置へ送信する転送装置を備え、
前記第１読取装置は、送信するタグ識別情報と共に前記第１読取装置識別情報を送信し、
前記第２読取装置が受信する前記第１読取装置から送信されたタグ識別情報は、前記転送装置を経由して前記第２読取装置に対して送信されたタグ識別情報である
ことを特徴とする請求項１記載の認証システム。
【請求項３】
前記認証システムは、さらに、
タグからタグ識別情報を受信したときに、当該タグ識別情報と自機が記憶するタグ識別情報とが一致すれば、制御信号を外部に出力し、前記第１読取装置から送信されたタグ識別情報を受信すると、受信したタグ識別情報を記憶する第３読取装置を備え、
前記第１読取装置が送信するタグ識別情報の送信先は前記転送装置であり、
前記転送装置の送信するタグ識別情報の送信先は前記第３読取装置を含まない
ことを特徴とする請求項２記載の認証システム。
【請求項４】
前記第１読取装置は、建物内の第１地点に配置され、
前記第２読取装置は、タグの所有者が前記第１地点から前記建物外へ移動する際に通行する通路上の第２地点に存在し、タグと通信可能な位置に配置されている
ことを特徴とする請求項１記載の認証システム。
【請求項５】
前記第１読取装置は、管理用タグから送信される管理信号を受信する管理信号受信手段と、当該管理信号受信手段が前記管理信号を受信した受信時刻からの経過時間を計測するタイマとを有し、前記管理信号受信手段によって前記管理信号が受信された場合に、前記受信時刻から、前記タイマが所定の時間を計測する時刻までの期間を前記登録モードの期間とする
ことを特徴とする請求項１記載の認証システム。
【発明の詳細な説明】
【技術分野】
【０００１】
本発明は、アクティブタグ（以下、「タグ」という。）から識別情報を読み取ることで認証処理を行う認証システムに関する。
【背景技術】
【０００２】
タグを用いた認証システムには、タグを所有するユーザが所定の場所に設置されている読取装置に近づくと、読取装置がタグからそのタグの識別情報を受信し、受信したタグの識別情報が自装置に記憶されているものと一致する場合に、そのタグの認証に成功するといった形態で運用されるものがある（特許文献１参照）。
【先行技術文献】
【特許文献】
【０００３】
【特許文献１】特開２００８−１７７７７５号公報
【発明の概要】
【発明が解決しようとする課題】
【０００４】
一般に、タグを用いた認証システムは、その認証システムを利用するユーザのそれぞれが自分専用のタグを所有するという形態で運用される。
このようなタグを用いた認証システムにおいて、新たにその認証システムを利用するユーザが増えた場合には、増えたユーザの分だけ新たなタグを導入する必要があり、また、読取装置に新たに導入するタグの識別情報を記憶させる必要がある。
【０００５】
新たに導入するタグと読取装置とが複数ある場合には、それらの読取装置のそれぞれに対して、それらの新たに導入するタグのそれぞれの識別情報を記憶させなければならない。
従って、新たに導入するタグの数が多い場合には、読取装置のそれぞれにタグの識別情報を記憶させるための手間が多く必要となる。
【０００６】
そこで、本発明は係る問題に鑑みてなされたものであり、新たにタグが導入される場合において、それらの導入されるタグの識別情報を読取装置のそれぞれに記憶させるために必要となる手間を、従来の認証システムよりも少なくすることができる認証システムを提供することを目的とする。
【課題を解決するための手段】
【０００７】
上記問題を解決するために本発明に係る認証システムは、登録モードでない期間において、タグからタグ識別情報を受信したときに、当該タグ識別情報と自機が記憶している照合用タグ識別情報とが一致すれば、制御信号を外部に出力する第１読取装置と、タグからタグ識別情報を受信したときに、当該タグ識別情報と自機が記憶している照合用タグ識別情報とが一致すれば、制御信号を外部に出力する第２読取装置とを備え、前記第１読取装置は、登録モードの期間において、タグからタグ識別情報を受信したときに、受信したタグ識別情報を照合用タグ識別情報として記憶する一方、当該タグ識別情報を送信し、前記第２読取装置は、前記第１読取装置から送信されたタグ識別情報を受信すると、受信したタグ識別情報を照合用タグ識別情報として記憶することを特徴とする。
【発明の効果】
【０００８】
ここで、第１読取装置は、登録モードを含む複数の動作モードのうちのいずれかに動作モードを切り替えて、それに応じた動作を行うものである。
モードが登録モードとなる場合には、例えば、第１読取装置が起動された場合、登録モード以外のモードの期間においてユーザによる登録モードに切り替える旨の操作を検知した場合等がある。
【０００９】
モードが登録モードから登録モード以外のモードとなる場合には、例えば、読取装置に備えられているタイマが前回登録モードへの切り替えが行われてから所定の時間を計測した場合、登録モードの期間においてユーザによる登録モード以外のモードに切り替える旨の操作を検知した場合等がある。
上述の構成を備える本発明に係る認証システムは、第１読取装置がタグ識別情報を記憶すると、第２読取装置もそのタグ識別情報を記憶することとなるため、第１読取装置と通信可能な位置のタグから第１読取装置にタグ識別情報を送信させるだけで、第１読取装置と第２読取装置との双方の読取装置にタグ識別情報を記憶させることができるという効果を有する。
【図面の簡単な説明】
【００１０】
【図１】居室Ａ２０１における設備や読取装置等の配置状況を示す配置図
【図２】実施の形態１に係る認証システムが運用されている建物の平面図
【図３】読取装置３００の主要機能を示すブロック図
【図４】タグ４００の主要機能ブロックを示すブロック図
【図５】照明スイッチの主要機能ブロックを示すブロック図
【図６】エアコン操作盤の主要機能ブロックを示すブロック図
【図７】解錠装置の主要機能ブロックを示すブロック図
【図８】管理サーバ１８１の主要機能ブロックを示すブロック図
【図９】読取装置対応表のデータ構成図
【図１０】実施の形態１に係る認証システムで用いられる通信信号のデータ構成図
【図１１】タグ登録処理を示すフローチャート
【図１２】タグ識別情報転送処理を示すフローチャート
【図１３】タグ追加処理を示すフローチャート
【図１４】タグ認証処理を示すフローチャート
【図１５】照明制御処理を示すフローチャート
【図１６】エアコン制御処理を示すフローチャート
【図１７】解錠処理を示すフローチャート
【図１８】実施の形態２に係る認証システムが運用されている建物の平面図
【図１９】読取装置対応表のデータ構成図
【図２０】変形読取装置２１００の主要ブロックを示すブロック図
【図２１】変形タグ２２００の主要機能ブロックを示すブロック図
【図２２】タグ管理者信号のデータ構成図
【図２３】管理者信号送信処理を示すフローチャート
【図２４】管理者タグ登録処理を示すフローチャート
【発明を実施するための形態】
【００１１】
＜実施の形態１＞
＜概要＞
以下、本発明に係る認証システムの一実施形態として、タグの認証処理を行う読取装置が建物内に複数配置され、それぞれの読取装置は、タグの認証処理の結果に応じて、建物内に設置されている照明やエアコンや解錠装置といった設備を制御する認証システムについて説明する。
【００１２】
この認証システムでは、特定の読取装置に複数の読取装置が対応付けられており、その特定の読取装置に新たにタグの識別情報が記憶されると、対応付けられた複数の読取装置にも、そのタグの識別情報が記憶される。
＜構成＞
＜全体構成＞
以下、本実施の形態に係る認証システムの全体構成について、図面を参照しながら説明する。
【００１３】
図１は、実施の形態１に係る認証システムが運用されている建物内の部屋の１つである居室Ａ２０１において、その居室Ａ２０１に配置されている設備や読取装置等の配置状況を示す配置図である。
読取装置１１１〜読取装置１１７はネットワーク１６１（図１中の破線）と接続し、自装置の近傍（例えば３ｍ以内）のタグに通信を試みることで、自装置の近傍（例えば３ｍ以内）のタグの認証処理を行うものである。
【００１４】
これら読取装置のうち、読取装置１１１〜読取装置１１６は、それぞれ机１２１〜机１２６上に設置され、読取装置１１７は、扉１７１の脇に設置されている。
照明スイッチ１３２は、ネットワーク１６１と接続し、電燈線１６３を介して照明１４１〜照明１４４を点灯、消灯するものである。
エアコン操作盤１３１は、ネットワーク１６１と接続し、制御線１６２を介してエアコン１５１を制御するものである。
【００１５】
解錠装置１５２は、ネットワーク１６１と接続し、扉１７１を施解錠するものである。
タグ所有者１０２はタグ１０１を所有している。
図２は、実施の形態１に係る認証システムが運用されている建物の平面図である。
この建物は、前述の居室Ａ２０１と、居室Ｂ２０２と、管理室２０３と、実験室Ａ２０４と、実験室Ｂ２０５と、会議室Ａ２０６とからなり、オフィスとして利用されている。
【００１６】
読取装置２１１〜読取装置２２８、読取装置２３２〜読取装置２４２のそれぞれは、ネットワーク１６１と接続する。読取装置２１１〜読取装置２１６は、居室Ｂ２０２の机の上に設置され、読取装置２１７、２１８は、管理室２０３の壁に設置され、読取装置２１９〜２２２は、実験室Ａ２０４の机の上に設置され、読取装置２２３〜２２６は、実験室Ｂ２０５の机の上に設置され、読取装置２２７、２２８は、会議室Ａ２０６の机の上に配置される。また、読取装置２２３〜読取装置２４２は、それぞれ、扉１７１、扉２９２〜扉２９６の脇に設置されている。
【００１７】
照明スイッチ２７６〜照明スイッチ２８０のそれぞれは、ネットワーク１６１と接続する。照明スイッチ２７６は照明２４５〜照明２４８を点灯、消灯するものであり、照明スイッチ２７７は照明２４９〜照明２５２を点灯、消灯するものであり、照明スイッチ２７８は照明２５３〜照明２５６を点灯、消灯するものであり、照明スイッチ２７９は照明２５７〜照明２６０を点灯、消灯するものであり、照明スイッチ２８０は照明２６１〜照明２６４を点灯、消灯するものである。
【００１８】
エアコン操作盤１７１〜エアコン操作盤２７５のそれぞれは、ネットワーク１６１と接続する。エアコン操作盤２７１はエアコン１９１を制御するものであり、エアコン操作盤２７２はエアコン１９２を制御するものであり、エアコン操作盤２７３はエアコン１９３を制御するものであり、エアコン操作盤２７４はエアコン１９４を制御するものであり、エアコン操作盤２７５はエアコン１９５を制御するものである。
【００１９】
解錠装置２８１〜２８５のそれぞれは、ネットワーク１６１と接続する。解錠装置２８１は扉２９２を施解錠するものであり、解錠装置２８２は扉２９３を施解錠するものであり、解錠装置２８３は扉２９４を施解錠するものであり、解錠装置２８４は扉２９５を施解錠するものであり、解錠装置２８５は扉２９６を施解錠するものである。
管理サーバ１８１は、ネットワーク１６１と接続し、管理室２０３に配置される。この管理サーバ１８１は、請求項２の転送装置に対応するものである。
【００２０】
ここで、居室Ａ２０１で勤務するタグ所有者は、居室Ａ２０１を使用する権限に加えて、実験室Ａ２０４と会議室Ａ２０６とを使用する権限が与えられており、居室Ｂ２０２で勤務するタグ所有者は、居室Ｂ２０２を使用する権限に加えて、実験室Ｂ２０５と会議室Ａ２０６とを使用する権限が与えられているものとする。
以下、実施の形態１に係る認証システムを構成する構成要素のそれぞれについて、図面を用いて詳細に説明する。
【００２１】
＜読取装置＞
読取装置は、ＣＰＵ（Central Processing Unit）、ＲＡＭ（Random Access Memory）、ＲＯＭ（Read Only Memory）、不揮発性メモリ、変復調器、アンテナ、ネットワーク信号送受信器等を内蔵し、ＣＰＵが、ＲＡＭ、ＲＯＭ又は、不揮発性メモリに記憶されているプログラムを実行することで、様々な機能を実現する。
【００２２】
読取装置の主要な機能は、（１）登録モードでない期間に所定の操作を受け付けると、モードを登録モードとし、登録モードの期間に所定の処理を終了すると、モードを登録モード以外のモードとする機能と、（２）登録モードである期間に、タグからタグ識別情報を読み取って自装置に記憶すると共に読み取ったタグ識別情報を管理サーバ１８１に送信するタグ登録機能と、（３）管理サーバ１８１から送信されるタグ識別情報を受信して自装置に記憶するタグ追加登録機能と、（４）登録モードでない期間に、タグからタグ識別情報を読み取って、読み取ったタグ識別情報と自装置に記憶するタグ識別情報とが一致する場合に認証処理に成功したと判断し、自装置に記憶する装置識別情報によって識別される機器を制御する機器制御信号（後述）を送信する認証機能とである。
【００２３】
ここで、登録モードとは、読取装置の動作モードのうちの一つであって、タグからタグ識別情報を読み取ると、そのタグ識別情報を自装置に記憶する状態のことであって、機器とは、照明スイッチ、エアコン操作盤、及び解錠装置である。
図３は、読取装置３００の主要機能ブロックを示すブロック図である。
読取装置３００は、送受信部３１１と、登録ボタン３１２と、記憶部３１４と、タイマ３１５と、ＬＦ帯送信部３２１と、ＬＦ帯アンテナ３２２と、ＵＨＦ帯受信部３２３と、ＵＨＦ帯アンテナ３２４と、読取装置制御部３１０とから構成される。
【００２４】
送受信部３１１は、ＣＰＵによって制御されるネットワーク信号送受信器からなり、読取装置制御部３１０とネットワーク１６１とに接続し、ネットワーク１６１を介して外部の装置と通信する機能を有する。
登録ボタン３１２は、読取装置制御部３１０と接続し、ユーザから押下されると、ユーザからの押下を受け付けた旨の信号を読取装置制御部３１０に送信する機能を有する。
【００２５】
記憶部３１４は、ＣＰＵによって制御されるＲＡＭ、ＲＯＭ、不揮発性メモリからなり、読取装置制御部３１０と接続し、タグ識別情報と、機器識別情報と、管理サーバ識別情報と、機器識別情報と、自装置の読取装置識別情報とが記憶されるように構成されている。
自装置の読取装置識別情報は、読取装置作成時に予め記憶されている。
【００２６】
タイマ３１５は、読取装置制御部３１０と接続し、読取装置制御部３１０からの制御信号に基づいて、時間の経過を計測する機能を有する。
ＬＦ帯送信部３２１は、ＣＰＵによって制御される変調器からなり、読取装置制御部３１０とＬＦ帯アンテナ３２２と接続し、読取装置制御部３１０から送られてきた信号をＬＦ帯の信号に変調してＬＦ帯アンテナ３２２から外部に送信する機能を有する。
【００２７】
ＬＦ帯送信部３２１の送信するＬＦ帯の信号の到達距離は、ここでは例えば３ｍである。
ＵＨＦ帯受信部３２３は、ＣＰＵによって制御される復調器からなり、読取装置制御部３１０とＵＨＦ帯アンテナ３２４と接続し、ＵＨＦ帯アンテナ３２４が受信したＵＨＦ帯の信号を復調し、復調した信号を読取装置制御部３１０に送る機能を有する。
【００２８】
読取装置制御部３１０は、ＣＰＵがプログラムを実行することによって機能的に実現され、送受信部３１１と登録ボタン３１２と記憶部３１４とタイマ３１５とＬＦ帯送信部３２１とＵＨＦ帯受信部３２３と接続し、以下の機能を有する。
機能１：登録モードでないモードである認証モードの期間中に登録ボタン３１２からユーザからの押下を受け付けた旨の信号を受信すると、読取装置３００のモードを認証モードから登録モードに切り替えてＬＦ帯送信部３２１にタグ質問信号（後述）を送信させ、タグ応答信号受信後又は、タグ質問信号を送信してから所定時間Ｔ１（例えば１秒）後に、読取装置３００のモードを登録モードから認証モードに切り替える機能。
【００２９】
機能２：登録モードの期間中に、ＵＨＦ帯受信部３２３がタグからタグ応答信号（後述）を受信した場合に、タグ応答信号に含まれるタグ識別情報を記憶部３１４に記憶させて、送受信部３１１に紐付け信号（後述）をネットワーク１６１上に送信させる機能。
機能３：認証モードの期間中に、所定時間Ｔ２（例えば１秒）毎にＬＦ帯送信部３２１にタグ質問信号を繰り返し送信させる機能。
【００３０】
機能４：認証モードの期間中に、ＵＨＦ帯受信部３２３がタグからタグ応答信号を受信した場合に、タグ応答信号に含まれるタグ識別情報と、記憶部３１４に記憶されているタグ識別情報とを比較し、両者が一致する場合に、送受信部３１１に機器制御信号（後述）を送信させる機能。
実施の形態１に係る認証システムを構成する読取装置のそれぞれは、予めシステム管理者によって、前述の認証機能において送信する機器制御信号の送信対象機器の機器識別情報を自装置の記憶部３１４に記憶されている。
【００３１】
読取装置１１１〜読取装置１１６のそれぞれは、照明スイッチ１３２とエアコン操作盤１３１との機器識別情報を記憶し、読取装置１１７と読取装置２３２とは、解錠装置１５２の機器識別情報を記憶し、読取装置２１１〜読取装置２１６のそれぞれは、照明スイッチ２７６とエアコン操作盤２７１との機器識別情報を記憶し、読取装置２３３と読取装置２３４とは、解錠装置２８１の機器識別情報を記憶し、読取装置２１７と読取装置２１８とは、照明スイッチ２７７とエアコン操作盤２７２との機器識別情報を記憶し、読取装置２３５と読取装置２３６とは、解錠装置２８２の機器識別情報を記憶し、読取装置２１９〜読取装置２２２のそれぞれは、照明スイッチ２７８とエアコン操作盤２７３との機器識別情報を記憶し、読取装置２３７と読取装置２３８とは、解錠装置２８３の機器識別情報を記憶し、読取装置２２３〜読取装置２２６のそれぞれは、照明スイッチ２７９とエアコン操作盤２７４との機器識別情報を記憶し、読取装置２３９と読取装置２４０とは、解錠装置２８４の機器識別情報を記憶し、読取装置２２７と読取装置２２８とは、照明スイッチ２８０とエアコン操作盤２７５との機器識別情報を記憶し、読取装置２４１と読取装置２４２とは、解錠装置２８５の機器識別情報を記憶している。
【００３２】
＜タグ＞
タグは、ＣＰＵ、ＲＡＭ、ＲＯＭ、変復調器、アンテナ、電池等を内蔵し、内蔵する電池を電源として動作し、ＣＰＵが、ＲＡＭ又はＲＯＭに記憶されているプログラムを実行することで、様々な機能を実現する。
タグの主要な機能は、読取装置からタグ質問信号を受信すると、自装置のタグ識別情報を含むタグ応答信号を送信するタグ応答機能である。
【００３３】
図４は、タグ４００の主要機能ブロックを示すブロック図である。
タグ４００は、ボタン４１１と、記憶部４１３と、ＬＦ帯受信部４２１と、ＬＦ帯アンテナ４２２と、ＵＨＦ帯送信部４３１と、ＵＨＦ帯アンテナ４３２と、タグ制御部４１０と、電池４４０とから構成される。
ボタン４１１は、タグ制御部４１０と接続し、ユーザから押下されると、ユーザからの押下を受け付けた旨の信号をタグ制御部４１０に送信する機能を有する。
【００３４】
記憶部４１３は、ＣＰＵによって制御されるＲＯＭからなり、タグ制御部４１０と接続し、自装置のタグ識別情報を記憶する。
ＬＦ帯受信部４２１は、ＣＰＵによって制御される復調器からなり、タグ制御部４１０とＬＦ帯アンテナ４２２と接続し、ＬＦ帯アンテナ４２２が受信したＬＦ帯の信号を復調し、復調した信号をタグ制御部４１０に送る機能を有する。
【００３５】
ＵＨＦ帯送信部４３１は、ＣＰＵによって制御される変調器からなり、タグ制御部４１０とＵＨＦ帯アンテナ４３２と接続し、タグ制御部４１０から送られてきた信号をＵＨＦ帯の信号に変調してＵＨＦ帯アンテナ４３２から外部に送信する機能を有する。
ＵＨＦ帯送信部４３１の送信するＵＨＦ帯の信号の到達距離は、ここでは例えば１５ｍである。
【００３６】
電池は、タグを構成する部品に電力を供給する機能を有する。
タグ制御部４１０は、ＣＰＵがプログラムを実行することによって機能的に実現され、ボタン４１１と記憶部４１３とＬＦ帯受信部４２１とＵＨＦ帯送信部４３１とに接続し、ＬＦ帯受信部４２１からタグ質問信号を受信した場合に、記憶部４１３に記憶されている自装置のタグ識別情報を含めたタグ応答信号を作成し、ＵＨＦ帯送信部４３１にタグ応答信号を送信させる機能を有する。
【００３７】
ここで、タグ制御部がタグ質問信号を受信してからタグ応答信号を送信させるまでの時間は、例えば０．１秒である。
＜照明スイッチ＞
照明スイッチは、照明の点灯、消灯を行うスイッチであって、ＣＰＵ、ＲＡＭ、ＲＯＭ、ネットワーク信号送受信器等を内蔵し、ユーザの操作に応じて照明の点灯、消灯を行う機能に加えて、ＣＰＵが、ＲＡＭ又はＲＯＭに記憶されているプログラムを実行することで、ネットワーク１６１を介して読取装置から機器制御信号を受信すると、照明の点灯状況に応じて、照明の点灯、又は消灯を行う照明操作機能を実現する。
【００３８】
図５は、照明スイッチの主要機能ブロックを示すブロック図である。
照明スイッチ５００は、受信部５２０と、記憶部５３０と、操作ボタン５４０と、タイマ５５０と、接続切替部５６０と、照明スイッチ制御部５１０とから構成される。
受信部５２０は、ＣＰＵによって制御されるネットワーク信号送受信器からなり、照明スイッチ制御部５１０とネットワーク１６１とに接続し、ネットワーク１６１を介して送信された信号を受信し、受信した信号を照明スイッチ制御部５１０に送る機能を有する。
【００３９】
記憶部５３０は、ＣＰＵによって制御されるＲＯＭからなり、照明スイッチ制御部５１０と接続し、自装置の機器識別情報を記憶する。
操作ボタン５４０は、照明スイッチ制御部５１０と接続し、ユーザから押下されると、ユーザから押下された旨の信号を照明スイッチ制御部５１０に送る機能を有する。
タイマ５５０は、照明スイッチ制御部５１０と接続し、照明スイッチ制御部５１０からの制御信号に基づいて、時間の経過を計測する機能を有する。
【００４０】
接続切替部５６０は、照明スイッチ制御部５１０からの制御信号に基づいて照明への電力の供給のＯＮとＯＦＦとを切り替えるスイッチであって、照明スイッチ制御部５１０と接続する。
照明スイッチ制御部５１０は、ＣＰＵがプログラムを実行することによって機能的に実現され、受信部５２０と記憶部５３０と操作ボタン５４０とタイマ５５０と接続切替部５６０と接続し、以下の機能を有する。
【００４１】
機能１：操作ボタン５４０から信号を受信すると、照明への電力供給状況と、受信した信号とに応じて、照明への電力供給の接続を切り替えさせる制御信号を接続切替部５６０に送信する機能。
機能２：受信部５２０が読取装置から機器制御信号を受信した場合に、機器制御信号に含まれる機器識別情報と、記憶部５３０に記憶されている機器識別情報とを比較し、両者が一致すれば、照明への電力供給状況に応じて、照明への電力供給の接続を切り替えさせる制御信号を接続切替部５６０に送信する機能。
【００４２】
＜エアコン操作盤＞
エアコン操作盤は、エアコンを制御する操作盤であって、ＣＰＵ、ＲＡＭ、ＲＯＭ、ネットワーク信号送受信器等を内蔵し、ユーザの操作に応じてエアコンを制御する機能に加えて、ＣＰＵが、ＲＡＭ又はＲＯＭに記憶されているプログラムを実行することで、ネットワーク１６１を介して読取装置から機器制御信号を受信すると、エアコンの稼働状況に応じて、エアコンの起動又は、停止を行うエアコン操作機能を実現する。
【００４３】
図６は、エアコン操作盤の主要機能ブロックを示すブロック図である。
エアコン操作盤６００は、受信部６２０と、記憶部６３０と、操作ボタン群６４０と、タイマ６５０と、表示部６６０と、エアコン制御信号生成部６７０と、エアコン操作盤制御部６１０とから構成される。
受信部６２０は、ＣＰＵによって制御されるネットワーク信号送受信器からなり、エアコン操作盤制御部６１０とネットワーク１６１とに接続し、ネットワーク１６１を介して送信された信号を受信し、受信した信号をエアコン操作盤制御部６１０送る機能を有する。
【００４４】
記憶部６３０は、ＣＰＵによって制御されるＲＯＭからなり、エアコン操作盤制御部６１０と接続し、自装置の機器識別情報を記憶する。
操作ボタン群６４０は、エアコン操作盤制御部６１０と接続し、ユーザからエアコンを制御する旨の操作を受け付けると、受け付けた操作に応じた信号をエアコン操作盤制御部６１０に送る機能を有する。
【００４５】
タイマ６５０は、エアコン操作盤制御部６１０と接続し、エアコン操作盤制御部６１０からの制御信号に基づいて、時間の経過を計測する機能を有する。
表示部６６０は、ディスプレイからなり、エアコン操作盤制御部６１０と接続し、エアコン操作盤制御部６１０からの制御信号に基づいて、現在のエアコンの稼働状況等を表示する機能を有する。
【００４６】
エアコン制御信号生成部６７０は、ＣＰＵがプログラムを実行することによって機能的に実現され、エアコン操作盤制御部６１０と接続し、エアコン操作盤制御部６１０からの制御信号に基づいてエアコンを制御する制御信号を生成し、生成した制御信号をエアコンに送信する機能を有する。
エアコン操作盤制御部６１０は、ＣＰＵがプログラムを実行することによって機能的に実現され、受信部６２０と記憶部６３０と操作ボタン群６４０とタイマ６５０と表示部６６０とエアコン制御信号生成部６７０と接続し、以下の機能を有する。
【００４７】
機能１：操作ボタン群６４０から信号を受信すると、エアコンの稼働状況と、受信した信号とに応じて、エアコン制御信号生成部６７０にエアコンを制御する制御信号を生成させてエアコンに送信させる機能。
機能２：受信部６２０が読取装置から機器制御信号を受信した場合に、機器制御信号に含まれる機器識別情報と、記憶部６３０に記憶されている機器識別情報とを比較し、両者が一致すれば、エアコンの稼働状況に応じて、エアコン制御信号生成部６７０にエアコンを制御する制御信号を生成させてエアコンに送信させる機能。
【００４８】
＜解錠装置＞
解錠装置は、扉の施錠と解錠とを行う電子錠であって、ＣＰＵ、ＲＡＭ、ＲＯＭ、ネットワーク信号送受信器等を内蔵し、ユーザの操作に応じて扉の施錠と解錠とを行う機能に加えて、ＣＰＵが、ＲＡＭ又はＲＯＭに記憶されているプログラムを実行することでネットワーク１６１を介して読取装置から機器制御信号を受信すると、所定時間Ｔ３（例えば１０秒）間扉の解錠を行う解錠機能を実現する。
【００４９】
図７は、解錠装置の主要機能ブロックを示すブロック図である。
解錠装置７００は、受信部７２０と、記憶部７３０と、操作ボタン７４０と、タイマ７６０と、施錠部７５０と、解錠装置制御部７１０とから構成される。
受信部７２０は、ＣＰＵによって制御されるネットワーク信号送受信器からなり、解錠装置制御部７１０とネットワーク１６１とに接続し、ネットワーク１６１を介して送信された信号を受信し、受信した信号を解錠装置制御部７１０に送る機能を有する。
【００５０】
記憶部７３０は、ＣＰＵによって制御されるＲＯＭからなり、解錠装置制御部７１０と接続し、自装置の機器識別情報を記憶する。
操作ボタン７４０は、解錠装置制御部７１０と接続し、ユーザから押下されると、扉を解錠する旨の信号を解錠装置制御部７１０に送信する機能を有する。
タイマ７６０は、解錠装置制御部７１０と接続し、解錠装置制御部７１０からの制御信号に基づいて、時間の経過を計測する機能を有する。
【００５１】
施錠部７５０は、扉を施錠するための電子錠からなり、解錠装置制御部７１０と接続し、解錠装置制御部７１０からの制御信号に基づいて扉を施錠、又は解錠する機能を有する。
解錠装置制御部７１０は、ＣＰＵがプログラムを実行することによって機能的に実現され、受信部７２０と記憶部７３０と操作ボタン７４０とタイマ７６０と施錠部７５０と接続し、以下の機能を有する。
【００５２】
機能１：操作ボタン７４０から扉を解錠する旨の信号を受信すると、施錠部７５０に扉を解錠させ、所定時間Ｔ３（例えば１０秒）後に施錠部７５０に扉を施錠させる機能。
機能２：受信部７２０が読取装置から機器制御信号を受信した場合に、機器制御信号に含まれる機器識別情報と、記憶部７３０に記憶されている機器識別情報とを比較し、両者が一致すれば、施錠部７５０に扉を解錠させ、所定時間Ｔ３（例えば１０秒）後に施錠部７５０に扉を施錠させる機能。
【００５３】
＜管理サーバ＞
管理サーバ１８１は、読取装置同士の対応関係を管理するコンピュータであって、ＣＰＵ、ＲＡＭ、ＲＯＭ、ハードディスク、入出力装置、ネットワーク信号送受信器等を内蔵し、ＣＰＵが、ＲＯＭ、ＲＡＭ、又はハードディスクに記録されているプログラムを実行することで様々な機能を実現する。
【００５４】
管理サーバ１８１の主な機能は、読取装置から紐付け信号を受信すると、紐付け信号に含まれている読取装置識別情報と対応付けられて記憶している読取装置識別情報によって識別される読取装置に、タグ識別情報追加信号（後述）を送信する機能である。
図８は、管理サーバ１８１の主要機能ブロックを示すブロック図である。
管理サーバ１８１は、送受信部８２０と、記憶部８３０と、入力部８４０と、出力部８５０と、管理サーバ制御部８１０とから構成される。
【００５５】
送受信部８２０は、ＣＰＵによって制御されるネットワーク信号送受信器からなり、管理サーバ制御部８１０とネットワーク１６１とに接続し、ネットワーク１６１を介して送信された信号を受信し、受信した信号を管理サーバ制御部８１０に送る機能と、管理サーバ制御部８１０から送られる信号を、ネットワーク１６１を介して外部に送信する機能とを有する。
【００５６】
記憶部８３０は、ＣＰＵによって制御されるＲＡＭからなり、管理サーバ制御部８１０と接続し、自装置のサーバ識別情報を記憶する機能と、読取装置対応表を記憶する。
図９は、記憶部８３０が記憶する読取装置対応表のデータ構成図である。
この読取装置対応表は、対応元読取装置識別情報９０１と、対応先読取装置識別情報９０２とを対応付けているものである。
【００５７】
例えば、１１１である対応元読取装置識別情報は、１１２、１１３、１１４、１１５、１１６、１１７、２３２、２１９、２２０、２２１、２２２、２３７、２３８、２４１、２４２である対応先読取装置識別情報と対応付けられて記憶部８３０に記憶されていることを示している。
ここでは、説明の便宜上、図２等で読取装置の符号に振られている数字と、読取装置識別情報の数字とが一致するものとして説明する。
【００５８】
例えば、１１１である読取装置識別情報によって識別される読取装置は、図２中の読取装置１１１である。
再び図８に戻って、管理サーバ１８１の説明を続ける。
入力部８４０は、管理サーバ制御部８１０と接続し、キーボードや光ディスク読取装置等で構成され、キーボードや光ディスク読取装置等を介してユーザからの入力を受け付け、受け付けた入力に対応する信号を管理サーバ制御部８１０に送信する機能を有する。
【００５９】
出力部８５０は、管理サーバ制御部８１０と接続し、ディスプレイや光ディスク書込装置等で構成され、管理サーバ制御部８１０からの信号を受信して、ディスプレイや光ディスク書込装置等を介して出力する機能を有する。
管理サーバ制御部８１０は、ＣＰＵがプログラムを実行することによって機能的に実現され、送受信部８２０と記憶部８３０と入力部８４０と出力部８５０とに接続し、以下の機能を有する。
【００６０】
機能１：送受信部８２０が読取装置から紐付け信号を受信した場合に、紐付け信号に含まれるサーバ識別情報と、記憶部８３０に記憶されているサーバ識別情報とを比較する。比較の結果、両者が一致する場合に、紐付け信号に含まれる読取装置識別情報と一致する対応元読取装置識別情報が記憶部８３０に記憶されているとき、その対応元読取装置識別情報に対応する対応先読取装置識別情報の数だけ、対応先読取装置識別情報と紐付け信号に含まれるタグ識別情報を含めたタグ識別情報追加信号を生成し、送受信部８２０に、生成したタグ識別情報追加信号を送信させる機能。
【００６１】
機能２：入力部８４０から、読取装置対応表を更新する旨の信号を受け取った場合において、入力部８４０から新たな読取装置対応表を入力されると、記憶部８３０に記憶されている読取装置対応表を、新たな読取装置対応表で更新する機能。
＜通信信号＞
以下、実施の形態１に係る認証システムで用いられる通信信号のそれぞれについて図面を用いて詳細に説明する。
【００６２】
図１０（ａ）は、読取装置３００から送信されるタグ質問信号のデータ構成図である。
同図に示されるように、タグ質問信号は、ＰＲ（PReamble）１００１と読取装置識別情報と１０１１とＣＲＣ（Cyclic Redundancy Check）情報１００２とから構成される。
ＰＲ１００１は、通信信号の始まりを示す同期信号であり、ＣＲＣ情報１００２は、通信信号の誤り検出に用いる信号である。
【００６３】
読取装置識別情報１０１１は、タグ質問信号を送信した読取装置の読取装置識別情報である。
図１０（ｂ）は、タグ４００から送信されるタグ応答信号のデータ構成図である。
同図に示されるように、タグ応答信号は、ＰＲ１００１と読取装置識別情報１０２１とタグ識別情報１０２２とＣＲＣ情報１００２とから構成される。
【００６４】
読取装置識別情報１０２１は、タグ応答信号の送信に先立って、タグによって受信されたタグ質問信号に含まれていた読取装置識別情報である。
タグ識別情報１０２２は、タグ応答信号を送信したタグのタグ識別情報である。
図１０（ｃ）は、タグ４００から送信される機器制御信号のデータ構成図である。
同図に示されるように、機器制御信号は、ＰＲ１００１と機器識別情報１０３１とＣＲＣ情報１００２とから構成される。
【００６５】
機器識別情報１０３１は、送信先の機器の識別情報である。
図１０（ｄ）は、読取装置３００から送信される紐付け信号のデータ構成図である。
同図に示されるように、紐付け信号は、ＰＲ１００１と管理サーバ識別情報１０４１と読取装置識別情報１０４２とタグ識別情報１０４３とＣＲＣ情報１００２とから構成される。
【００６６】
管理サーバ識別情報１０４１は、送信先の管理サーバの管理サーバ識別情報である。
読取装置識別情報１０４２は、紐付け信号を送信した読取装置の読取装置識別情報である。
タグ識別情報１０４３は、紐付け信号の送信に先立って、読取装置によって受信されたタグ応答信号に含まれていたタグ識別情報である。
【００６７】
図１０（ｅ）は、管理サーバ１８１から読取装置３００に送信されるタグ識別情報追加信号のデータ構造図である。
同図に示されるように、タグ識別情報追加信号は、ＰＲ１００１と読取装置識別情報１０５１とタグ識別情報１０５２とＣＲＣ情報１００２とから構成される。
読取装置識別情報１０５１は、送信先の読取装置の読取装置識別情報である。
【００６８】
タグ識別情報１０５２は、タグ識別情報追加信号の送信に先立って、管理サーバによって受信された紐付け信号に含まれていたタグ識別情報である。
＜動作＞
以下、上記構成を備える実施の形態１に係る認証システムの動作を説明する。
実施の形態１に係る認証システムの行う主な動作は、（１）読取装置３００とタグ４００と管理サーバ１８１とを用いて行うタグ登録処理動作と、（２）読取装置３００とタグ４００とを用いて行うタグ認証処理動作と、（３）照明スイッチ５００を用いて行う照明制御処理動作と、（４）エアコン操作盤６００を用いて行うエアコン制御処理動作と、（５）解錠装置７００を用いて行う解錠処理動作との５つの動作がある。
【００６９】
以下、各動作について、順にフローチャートを用いて説明する。
＜タグ登録処理＞
タグ登録処理とは、読取装置３００の登録ボタン３１２が押下された場合においてタグ４００を所有するタグ所有者が自装置の近傍（例えば３ｍ以内）に存在すると、その読取装置３００は、タグ所有者の所有するタグのタグ識別情報を記憶し、また、その読取装置３００と関連付けられている読取装置３００もそのタグ４００のタグ識別情報を記憶するという処理である。
【００７０】
図１１は、タグ登録処理における、読取装置３００の行う読取装置によるタグ登録処理を示すフローチャートである。
読取装置によるタグ登録処理は、登録ボタン３１２が押下されることによってその処理を開始する。
読取装置３００は、通常動作を行っている時には、モードが認証モードとなっているが、登録ボタン３１２が押下されると（ステップＳ１１００）、読取装置３００は、モードを登録モードに設定して（ステップＳ１１１０）、自装置の記憶部３１４に記憶されている自装置の読取装置識別信号を含むタグ質問信号を生成して送信する（ステップＳ１１２０）。
【００７１】
読取装置３００の近傍（例えば３ｍ以内）のタグは、タグ質問信号を受信すると、タグ質問信号に含まれている読取装置識別情報と、自装置の記憶部４１３に記憶されているタグ識別信号とを含むタグ応答信号を生成して送信する。
読取装置３００は、タイマ３１５を用いて時間を計測し、タグ質問信号を送信してから所定時間Ｔ７（例えば１秒）以内にタグからタグ応答信号を受信すると（ステップＳ１１３０：Ｙｅｓ）、タグ応答信号に含まれる読取装置識別信号と自装置の読取装置識別信号とが一致するか否かを調べる（ステップＳ１１４０）。
【００７２】
ステップＳ１１４０において両者が一致する場合（ステップＳ１１４０：Ｙｅｓ）に、読取装置３００は、タグ応答信号に含まれるタグ識別情報を記憶部３１４に記憶し（ステップＳ１１５０）、記憶部３１４に記憶されている管理サーバ識別情報と、自装置の読取装置識別情報と、タグ応答信号に含まれるタグ識別信号とを含む紐付け信号を生成する（ステップＳ１１６０）。
【００７３】
紐付け信号を生成すると、読取装置３００は、紐付け信号をネットワーク１６１上に送信し（ステップＳ１１７０）、モードを認証モードに設定して（ステップＳ１１８０）、読取装置によるタグ登録処理を終了する。
図１２は、タグ登録処理における、管理サーバ１８１の行う管理サーバによるタグ識別情報転送処理を示すフローチャートである。
【００７４】
管理サーバによるタグ識別情報転送処理は、ネットワーク１６１を介して、管理サーバ１８１が紐付け信号を受信することによってその処理を開始する。
管理サーバ１８１は、ネットワーク１６１を介して紐付け信号を受信すると（ステップＳ１２００）、紐付け信号に含まれている管理サーバ識別情報と自装置の管理サーバ識別情報とが一致するか否かを調べる（ステップＳ１２１０）。
【００７５】
ステップＳ１２１０において両者が一致する場合（ステップＳ１２１０：Ｙｅｓ）に、紐付け信号に含まれる読取装置識別情報と、記憶部８３０に記憶されている対応元読取装置識別情報とを比較する（ステップＳ１２２０）。
ステップＳ１２２０において、一致する対応元読取装置識別情報が記憶されている場合（ステップＳ１２２０：Ｙｅｓ）に、その対応元読取装置識別情報に対応付けられて記憶部８３０に記憶されている対応先読取装置識別情報の数だけ、対応付けられて記憶されている対応先読取装置識別情報とタグ紐付け信号に含まれているタグ識別情報とを含むタグ識別情報追加信号を生成し（ステップＳ１２３０）て、生成したタグ識別情報追加信号をネットワーク１６１上に送信する（ステップＳ１２４０）。
【００７６】
ステップＳ１２１０において両者が一致しない場合（ステップＳ１２１０：Ｎｏ）と、ステップＳ１２２０において、一致する対応元読取装置識別情報が記憶されていない場合（ステップＳ１２２０：Ｎｏ）と、ステップＳ１２４０の処理が終了した場合とに、管理サーバによるタグ識別情報転送処理は終了する。
図１３は、タグ登録動作における、読取装置３００の行う読取装置によるタグ追加処理を示すフローチャートである。
【００７７】
読取装置によるタグ追加処理は、ネットワーク１６１を介して、読取装置３００がタグ識別情報追加信号を受信することによってその処理を開始する。
読取装置３００は、ネットワーク１６１を介してタグ識別情報追加信号を受信すると（ステップＳ１３００）、タグ識別情報追加信号に含まれる読取装置識別情報と自装置の読取装置識別情報とが一致するか否かを調べる（ステップＳ１３１０）。
【００７８】
ステップＳ１３１０において両者が一致する場合（ステップＳ１３１０：Ｙｅｓ）に、読取装置３００は記憶部３１４にタグ識別情報追加信号に含まれるタグ識別情報を記憶させる（ステップＳ１３２０）。
ステップＳ１３１０において両者が一致しない場合（ステップＳ１３１０：Ｎｏ）と、ステップＳ１３２０の処理が終了した場合とに、読取装置によるタグ追加処理は終了する。
【００７９】
以下、上述のタグ登録処理動作について、図１中の読取装置１１１とタグ１０１とを用いて読取装置１１１の近傍（例えば３ｍ以内）にタグ１０１を所有するタグ所有者１０２が存在する状況で、読取装置１１１の登録ボタン３１２がタグ所有者１０２によって押下される場合の具体的な動作を説明する。
ここで、読取装置１１１は、読取装置３００と同じ構造のものであり、タグ１０１は、タグ４００と同じ構造のものである。
【００８０】
図２で示される建物を利用するオフィスでは、居室Ａ２０１で仕事をする人は、実験室Ａ２０４と会議室Ａ２０６とを利用することになっているため、実施の形態１に係る認証システムは、居室Ａ２０１内の読取装置のどれか１つに所有するタグのタグ識別情報を登録すると、居室Ａ２０１内の全ての読取装置と、実験室Ａ２０４の全ての読取装置と、会議室Ａ２０６の全ての読取装置とに、そのタグ識別情報が登録されるようになっている。
【００８１】
読取装置１１１は、登録ボタン３１２がタグ所有者１０２によって押下されると（ステップＳ１１００）、読取装置１１１は、モードを登録モードに設定して（ステップＳ１１１０）、自装置の読取装置識別情報である“１１１”を含むタグ質問信号を送信する（ステップＳ１１２０）。
タグ質問信号の到達範囲（例えば３ｍ）内にタグ１０１が存在するので、タグ１０１はタグ質問信号を受信し、タグ質問信号に含まれている“１１１”という読取装置識別情報と、自装置のタグ識別信号である“１０１”とを含むタグ応答信号を生成し、生成したタグ応答信号を例えば、０．１秒後に送信する。
【００８２】
ここで、例えば、０．１秒後とは、タグがタグ応答信号の生成に要する時間である。
読取装置１１１は、タグ質問信号を送信してから０．１秒後にタグ応答信号を受信し（ステップＳ１１３０：Ｙｅｓ）、タグ応答信号に含まれる“１１１”という読取装置識別情報は、記憶部３１４が記憶する自装置の読取装置識別情報と一致するので（ステップＳ１１４０：Ｙｅｓ）、タグ応答信号に含まれる“１０１”というタグ識別情報を記憶し（ステップＳ１１５０）、記憶する管理サーバ識別情報である“１８１”と自装置の読取装置識別情報である“１１１”とタグ応答信号に含まれる“１０１”とを含む紐付け信号を生成する（ステップＳ１１６０）。
【００８３】
読取装置１１１は、生成した紐付け信号をネットワーク１６１上に送信して（ステップＳ１１７０）、モードを認証モードに設定する（ステップＳ１１８０）。
管理サーバ１８１は、紐付け信号を受信し（ステップＳ１２００）、紐付け信号に含まれる“１８１”という管理サーバ識別情報は、記憶部８３０が記憶する自装置の管理サーバ識別情報と一致するので（ステップＳ１２１０：Ｙｅｓ）、紐付け信号に含まれる“１１１”という読取装置識別情報と、記憶部８３０に記憶されている対応元読取装置識別情報とを比較する（ステップＳ１２２０）。
【００８４】
記憶部に８３０は、１１１という対応元読取装置識別情報が１１２、１１３、１１４、１１５、１１６、１１７、２３２、２１９、２２０、２２１、２２２、２３７、２３８、２４１、２４２という対応先読取装置識別情報と対応付けられて記憶されているので（ステップＳ１２２０：Ｙｅｓ、図９参照）、これら１７つの、それぞれの対応先読取装置識別情報と１０１というタグ識別情報とを含むタグ識別情報追加信号を生成し（ステップＳ１２３０）、ネットワーク１６１上に送信する（ステップＳ１２４０）
読取装置１１２〜読取装置１１７、読取装置２３２、読取装置２１９〜読取装置２２２、読取装置２３７、読取装置２３８、読取装置２４１、読取装置２４２のそれぞれは、自装置の読取装置識別情報を含むタグ識別情報追加信号を受信するので（ステップＳ１３００〜ステップＳ１３１０）、タグ識別情報追加信号に含まれる１０１であるタグ識別情報を記憶する（ステップＳ１３２０）。
【００８５】
＜タグ認証処理＞
タグ認証処理とは、読取装置３００が自装置の近傍（例えば３ｍ以内）のタグ４００の認証処理を行い、認証処理に成功した場合に機器制御信号を送信するという処理である。
図１４は、タグ認証処理における、読取装置３００の行う読取装置によるタグ認証処理を示すフローチャートである。
【００８６】
タグ認証処理は、読取装置３００が起動されることによってその処理を開始する。
読取装置３００は、電源が投入される等により起動されると、モードを認証モードとして、自装置の記憶部３１４に記憶されている自装置の読取装置識別信号を含むタグ質問信号を生成して送信する（ステップＳ１４１０）。
読取装置３００の近傍（例えば３ｍ以内）のタグは、タグ質問信号を受信すると、タグ質問信号に含まれている読取装置識別情報と、自装置の記憶部４１３に記憶されているタグ識別信号とを含むタグ応答信号を生成して送信する。
【００８７】
読取装置３００は、タイマ３１５を用いて時間を計測し、前回タグ質問信号を送信してから所定時間Ｔ２（例えば１秒）以内にタグからタグ応答信号を受信すると（ステップＳ１４２０：Ｙｅｓ）、タグ応答信号に含まれる読取装置識別信号と自装置の読取装置識別信号とが一致するか否かを調べる（ステップＳ１４３０）。
ステップＳ１４３０において両者が一致する場合（ステップＳ１４３０：Ｙｅｓ）に、読取装置３００は、タグ応答信号に含まれるタグ識別情報と、記憶部３１４に記憶されているいずれかのタグ識別情報とが一致するか否かを調べる（ステップＳ１４４０）。
【００８８】
ステップＳ１４４０において両者が一致する場合（ステップＳ１４４０：Ｙｅｓ）に、読取装置３００は、記憶部３１４に記憶されている各機器識別情報を含む機器制御信号を、記憶する機器識別情報の数だけ生成し、ネットワーク１６１上に送信する（ステップＳ１４５０）。
ステップＳ１４２０において、タグ質問信号を送信してから所定時間Ｔ２（例えば１秒）以内にタグからタグ応答信号を受信しない場合（ステップＳ１４２０：Ｎｏ）と、ステップＳ１４３０において、両者が一致しない場合（ステップＳ１４３０：Ｎｏ）と、ステップＳ１４４０において、両者が一致しない場合（ステップＳ１４４０：Ｎｏ）と、ステップＳ１４５０の処理が終了した場合とに、読取装置３００は、タイマ３１５を用いて時間を計測し、前回タグ質問信号をしてから所定時間Ｔ２（例えば１秒）経過したか否かを調べる（ステップＳ１４６０）。
【００８９】
ステップＳ１４６０において、所定時間Ｔ２（例えば１秒）経過している場合に（ステップＳ１４６０：Ｙｅｓ）、読取装置３００はステップＳ１４１０の処理に戻ってステップＳ１４１０〜ステップＳ１４６０の動作を繰り返す。
ステップＳ１４６０において、所定時間Ｔ２（例えば１秒）経過していない場合に（ステップＳ１４６０：Ｎｏ）、読取装置３００はステップＳ１４２０の処理に戻ってステップＳ１４２０〜ステップＳ１４６０の処理を繰り返す。
【００９０】
以下、上述のタグ認証処理動作について、図１中の読取装置１１１とタグ１０１とを用いて読取装置１１１の近傍（例えば３ｍ以内）にタグ１０１を所有するタグ所有者１０２が存在する場合の具体的な動作を説明する。
ここで、この読取装置１１１はタグ１０１のタグ識別情報を記憶しているものする。
読取装置１１１は、起動されると、自装置の読取装置識別情報である“１１１”を含むタグ質問信号を送信する（ステップＳ１４１０）。
【００９１】
タグ質問信号の到達範囲（例えば３ｍ）以内にタグ１０１が存在するので、タグ１０１はタグ質問信号を受信し、タグ質問信号に含まれている“１１１”という読取装置識別情報と、自装置のタグ識別情報である“１０１”とを含むタグ応答信号を生成し、生成したタグ応答信号を例えば、０．１秒後に送信する。
読取装置１１１は、タグ質問信号を送信してから０．１秒後にタグ応答信号を受信し（ステップＳ１４２０：Ｙｅｓ）、タグ応答信号に含まれる“１１１”という読取装置識別情報は、記憶部３１４が記憶する自装置の読取装置識別情報であり（ステップＳ１４３０：Ｙｅｓ）、“１０１”というタグ識別情報は、記憶部３１４が記憶するタグ識別情報である（ステップＳ１４４０）ので、記憶部３１４に記憶されている機器識別情報である“１３２”を含む機器制御信号と、“１３３”を含む機器制御信号とを生成して、ネットワーク１６１上に送信する（ステップＳ１４５０）。
【００９２】
読取装置１１１は、前回タグ質問信号を送信してから所定時間Ｔ２（例えば１秒）経過するまでステップＳ１４２０〜ステップＳ１４５０までの処理を繰り返し（ステップＳ１４６０：Ｎｏ）所定時間Ｔ２（例えば１秒）経過すると（ステップＳ１４６０：Ｙｅｓ）、再びステップＳ１４１０の処理に戻ってステップＳ１４１０〜ステップＳ１４６０の処理を繰り返す。
【００９３】
＜照明制御処理＞
照明制御処理とは、照明スイッチ５００が行う照明の制御処理である。
図１５は、照明制御動作における、照明スイッチ５００の行う照明制御処理を示すフローチャートである。
照明制御処理は、照明スイッチ５００に電源が供給されている限り行われている処理である。
【００９４】
照明スイッチ５００は、電源が供給されると、タイマ５５０を起動する（ステップＳ１５００）。
タイマ起動後所定時間Ｔ４（例えば１０秒）以内に機器制御信号を受信すると（ステップＳ１５１０：Ｙｅｓ）、照明スイッチ５００は、機器制御信号に含まれる機器識別情報と自装置の機器識別情報とが一致するか否かを調べる（ステップＳ１５２０）。
【００９５】
ステップＳ１５２０において両者が一致する場合（ステップＳ１５２０：Ｙｅｓ）に、照明スイッチ５００は、照明への電力の供給がＯＮであるか否かを調べる（ステップＳ１５３０）。
ステップＳ１５３０において電力の供給がＯＮである場合（ステップＳ１５３０：Ｙｅｓ）には、照明スイッチ５００は、電力の供給をＯＮのまま変更せず、電力の供給がＯＦＦである場合（ステップＳ１５３０：Ｎｏ）には、電力の供給をＯＮにする（ステップＳ１５４０）。
【００９６】
ステップＳ１５２０において両者が一致しない場合（ステップＳ１５２０：Ｎｏ）に、照明スイッチ５００は、再びステップＳ１５１０の処理に戻ってステップＳ１５１０以降の処理を開始する。
ステップＳ１５１０においてタイマ起動後所定時間Ｔ４（例えば１０秒）以内に機器制御信号を受信しない場合（ステップＳ１５１０：Ｎｏ）に、照明スイッチ５００は、照明への電力の供給がＯＮであるか否かを調べる（ステップＳ１５５０）。
【００９７】
ステップＳ１５５０において電力の供給がＯＮである場合（ステップＳ１５５０：Ｙｅｓ）には、照明スイッチ５００は、電力の供給をＯＦＦにし（ステップＳ１５６０）、電力供給がＯＦＦである場合（ステップＳ１５５０：Ｎｏ）には、電力の供給をＯＦＦのまま変更しない。
ステップＳ１５３０において電力の供給がＯＮである場合（ステップＳ１５３０：Ｙｅｓ）と、ステップＳ１５４０の処理が終わった場合と、ステップＳ１５６０の処理が終わった場合と、ステップＳ１５５０において電力の供給がＯＦＦである場合（ステップＳ１５５０：Ｎｏ）とには、照明スイッチ５００は、再びステップＳ１３００の処理に戻ってステップＳ１５００以降の処理を開始する。
【００９８】
＜エアコン制御処理＞
エアコン制御処理とは、エアコン操作盤６００が行うエアコンの制御処理である。
図１６は、エアコン制御動作における、エアコン操作盤６００の行うエアコン制御処理を示すフローチャートである。
エアコン制御処理は、エアコン操作盤６００が起動されている限り行われている処理である。
【００９９】
エアコン操作盤６００は、電源が供給されると、タイマ６５０を起動する（ステップＳ１６００）。
タイマ起動後所定時間Ｔ５（例えば１０秒）以内に機器制御信号を受信すると（ステップＳ１６１０：Ｙｅｓ）、エアコン操作盤６００は、機器制御信号に含まれる機器識別情報と自装置の機器識別情報とが一致するか否かを調べる（ステップＳ１６２０）。
【０１００】
ステップＳ１６２０において両者が一致する場合（ステップＳ１６２０：Ｙｅｓ）に、エアコン操作盤６００は、エアコンが動作しているか否かを調べる（ステップＳ１６３０）。
ステップＳ１６３０においてエアコンが動作している場合（ステップＳ１６３０：Ｙｅｓ）には、エアコン操作盤６００は、エアコンを停止させず、エアコンが動作していない場合（ステップＳ１６３０：Ｎｏ）には、エアコンを所定設定温度（例えば２５度）で起動させる（ステップＳ１６４０）。
【０１０１】
ステップＳ１６２０において両者が一致しない場合（ステップＳ１６２０：Ｎｏ）に、エアコン操作盤６００は、再びステップＳ１６１０の処理に戻ってステップＳ１６１０以降の処理を繰り返す。
ステップＳ１６１０においてタイマ起動後所定時間Ｔ５（例えば１０秒）以内に機器制御信号を受信しない場合（ステップＳ１６１０：Ｎｏ）に、エアコン操作盤６００は、エアコンが動作しているか否かを調べる（ステップＳ１６５０）。
【０１０２】
ステップＳ１６５０においてエアコンが動作している場合（ステップＳ１６５０：Ｙｅｓ）には、エアコン操作盤６００は、エアコンを停止させ、エアコンが動作していない場合（ステップＳ１６５０：Ｎｏ）、エアコンを起動させない。
ステップＳ１６３０においてエアコンが動作している場合（ステップＳ１６３０：Ｙｅｓ）と、ステップＳ１６４０の処理が終わった場合と、ステップＳ１６６０の処理が終わった場合と、ステップＳ１６５０においてエアコンが動作していない場合（ステップＳ１６５０：Ｎｏ）とには、エアコン操作盤６００は、再びステップＳ１６００の処理に戻ってステップＳ１６００以降の処理を繰り返す。
【０１０３】
＜解錠動作＞
解錠動作とは、解錠装置７００が行う扉の施解錠動作である。
図１７は、解錠動作における、解錠装置７００の行う解錠処理を示すフローチャートである。
解錠処理は、解錠装置７００が起動されている限り行われている処理である。
【０１０４】
解錠装置７００は、機器制御信号を受信する（ステップＳ１７００：Ｙｅｓ）と、制御信号に含まれる機器識別情報と自装置の機器識別情報とが一致するか否かを調べる（ステップＳ１７１０）。
ステップＳ１７１０において両者が一致する場合（ステップＳ１７１０：Ｙｅｓ）に、解錠装置７００は、解錠中か否かを調べる（ステップＳ１７２０）。
【０１０５】
ステップＳ１７２０において解錠中の場合（ステップＳ１７２０：Ｙｅｓ）に、扉を施錠せず、施錠中の場合（ステップＳ１７２０：Ｎｏ）に、扉を解錠する（ステップＳ１７３０）。
ステップＳ１７００において、機器制御信号を受信しない場合（ステップＳ１７００：Ｎｏ）と、ステップＳ１７２０において解錠中の場合（ステップＳ１７２０：Ｙｅｓ）と、ステップＳ１７３０の処理を終了した場合とに、解錠装置７００は、前回解錠してから所定時間Ｔ６（例えば１０秒）経過したか否かを調べる（ステップＳ１７４０）。
【０１０６】
ステップＳ１７４０において、所定時間Ｔ６（例えば１０秒）経過している場合（ステップＳ１７４０：Ｙｅｓ）に、解錠装置７００は扉を解錠する（ステップＳ１７５０）。
ステップＳ１７１０において両者が一致しない場合（ステップＳ１７１０：Ｎｏ）と、ステップＳ１７４０において所定時間Ｔ６（例えば１０秒）経過していない場合（ステップＳ１７４０：Ｎｏ）と、ステップＳ１７５０の処理を終了した場合とに、解錠装置７００は再びステップＳ１７００に戻ってステップＳ１７００以降の処理を繰り返す。
【０１０７】
上述の実施の形態１に係る認証システムによれば、居室Ａ２０１で勤務するタグ所有者１０２は、居室Ａ２０１内の例えば読取装置１１１に、自分の所有するタグのタグ識別情報を記憶させると、居室Ａ２０１内の全ての読取装置と、実験室Ａ２０４内の全ての読取装置と、会議室Ａ２０６内の全ての読取装置とに、そのタグ識別情報を記憶させることができるようになる。
【０１０８】
また、居室Ｂ２０２で勤務するタグ所有者は、居室Ｂ２０２内の例えば読取装置２１１に、自分の所有するタグのタグ識別情報を記憶させると、居室Ｂ２０２内の全ての読取装置と、実験室Ｂ２０５内の全ての読取装置と、会議室Ａ２０６内の全ての読取装置とに、そのタグ識別情報を記憶させることができるようになる。
つまり、わずか１つの読取装置にタグ識別情報を記憶させるだけで、多数の読取装置にそのタグ識別情報を記憶させることができる。
＜実施の形態２＞
＜概要＞
以下、本発明に係る認証システムの一実施形態として、実施の形態１に係る認証システムの一部を変形した実施の形態２に係る認証システムについて説明する。
【０１０９】
実施の形態２に係る認証システムは、実施の形態１に係る認証システムと同様に、タグの認証処理を行う読取装置が建物内に複数配置され、それぞれの読取装置は、タグの認証処理の結果に応じて、建物内に設置されている照明やエアコンや解錠装置といった設備を制御するものである。
この認証システムでは、読取装置に、その読取装置の配置地点から建物の出口までの通路に配置されている読取装置が対応付けられており、読取装置に新たにタグの識別情報が記録されると、その読取装置の配置地点から建物の出口までの通路に配置されている読取装置にもそのタグの識別情報が記憶される。
【０１１０】
＜構成＞
以下、実施の形態２に係る認証システムの構成について、図面を参照しながら説明する。
図１８は、実施の形態２に係る認証システムが運用されている建物の平面図である。
この建物は、居室Ａ１９９２と、居室Ｂ１９９１と、居室Ｃ１９９３と、居室Ｄ１９９４と、廊下１９９６と、管理室１９９５とからなり、オフィスとして利用されている。
【０１１１】
読取装置１９０１〜読取装置１９２１のそれぞれは、ネットワーク１９９８（図１９中の破線）と接続する。読取装置１９０１は居室Ａ１９９２の天井中央付近に配置され、読取装置１９０２と読取装置１９０３とは扉１９８１の脇に配置され、読取装置１９０４は居室Ｂ１９９１の天井中央付近に配置され、読取装置１９０５と読取装置１９０６とは扉１９８２の脇に配置され、読取装置１９０７は居室Ｄ１９９４の天井中央付近に配置され、読取装置１９０８と読取装置１９０９とは扉１９８３の脇に配置され、読取装置１９１０は居室Ｃ１９９３の天井中央付近に配置され、読取装置１９１１と読取装置１９１２とは扉１９８４の脇に配置され、読取装置１９１３と読取装置１９１４とは管理室１９９５の壁に配置され、読取装置１９１５と読取装置１９１６とは扉１９８５の脇に配置され、読取装置１９１７〜読取装置１９１９は、廊下１９９６の天井に配置され、読取装置１９２０と読取装置１９２１とはこの建物の入口１９８６の脇に配置されている。
【０１１２】
照明スイッチ１９５１〜照明スイッチ１９５８のそれぞれは、ネットワーク１９９８と接続する。照明スイッチ１９５１は、照明１９３１を点灯、消灯するものであり、照明スイッチ１９５２は、照明１９３２を点灯、消灯するものであり、照明スイッチ１９５３は、照明１９３３を点灯、消灯するものであり、照明スイッチ１９５４は、照明１９３４を点灯、消灯するものであり、照明スイッチ１９５５は、照明１９３５〜照明１９３８を点灯、消灯するものであり、照明スイッチ１９５６は、照明１９３９を点灯、消灯するものであり、照明スイッチ１９５７は、照明１９４０を点灯、消灯するものであり、照明スイッチ１９５８は、照明１９４１を点灯、消灯するものである。
【０１１３】
解錠装置１９６１〜解錠装置１９６６のそれぞれは、ネットワーク１９９８と接続する。解錠装置１９６１は扉１９８１を施解錠するものであり、解錠装置１９６２は扉１９８２を施解錠するものであり、解錠装置１９６３は扉１９８３を施解錠するものであり、解錠装置１９６４は扉１９８４を施解錠するものであり、解錠装置１９６５は扉１９８５を施解錠するものであり、解錠装置１９６６は建物の入口１９８６を施解錠するものである。
【０１１４】
管理サーバ１９９９は、ネットワーク１９９８と接続し、管理サーバ１８１が記憶する読取装置対応表とは異なる読取装置対応表を記憶し、管理室１９９５に配置されている。
図１９は、管理サーバ１９９９の記憶部８３０が記憶する読取装置対応表のデータ構成図である。
この読取装置対応表は、対応元読取装置識別情報と、対応先読取装置識別情報との関係が、対応元読取装置識別情報によって識別される読取装置と、その読取装置の配置地点から建物の入口１９８６までの通路をタグ所有者が通行した場合におけるこのタグ所有者のタグと通信可能となる位置に配置されている読取装置との関係となるように、対応元読取装置識別情報と、対応先読取装置識別情報とを対応付けたものである。
【０１１５】
例えば、対応元読取装置識別情報１９０１は、対応先読取装置識別情報１９０２、１９０３、１９０４、１９０５、１９０６、１９１７、１９１８、１９１９、１９２０、１９２１と対応付けられている。これら対応先読取装置識別情報によって識別される読取装置は、読取装置１９０１の配置地点から建物の入口１９８６までの通路上のタグと通信可能となる位置に配置されているものである。
【０１１６】
＜動作＞
実施の形態２に係る読取装置とタグと照明スイッチと解錠装置と管理サーバ１９９９とネットワーク１９９８とは、それぞれ、実施の形態１に係る読取装置とタグと照明スイッチと解錠装置と管理サーバ１８１とネットワーク１６１と同様の動作を行うので、ここでは説明を省略する。
【０１１７】
上述の実施の形態２に係る認証システムによれば、対応元読取装置識別情報２００１と対応付けられている対応先読取装置識別情報２００２は、対応先読取装置識別情報２００２が、対応元読取装置識別情報２００１によって識別される読取装置の配置地点から、建物の入口１９８６までの通路をタグ所有者が通行した場合における、このタグ所有者のタグと通信可能となる位置に配置されている読取装置の読取装置識別情報となっているため、建物内部のどこかに設置されている読取装置にタグ識別情報を登録すると、その読取装置の地点から建物の入口までの通路に配置されている読取装置にもそのタグ識別情報が登録される。
＜実施の形態３＞
＜概要＞
以下、本発明に係る認証システムの一実施形態として、実施の形態１に係る認証システムの一部を変形した実施の形態３に係る認証システムについて説明する。
【０１１８】
実施の形態３に係る認証システムは、実施の形態１におけるタグを、タグの機能に加えて、認証システムの管理者にのみ公開されている所定の操作を受けるとタグ管理者信号（後述）を送信する機能を有する変形タグに変形し、実施の形態１における読取装置を、読取装置の機能に加えてタグから発信されるタグ管理者信号を受信するとモードを登録モードに設定する変形読取装置に変形したものである。
【０１１９】
この実施の形態３に係る認証システムによると、タグ管理者信号を発信する変形タグを所有する管理者タグ所有者と、変形タグを所有する変形タグ所有者とが、変形読取装置の近傍（例えば３ｍ以内）に存在すると、その変形読取装置は、変形タグ所有者の所有する変形タグのタグ識別情報を記憶することになる。
従って、管理者タグ所有者と変形タグ所有者とが共に建物内を移動すると、移動経路の近傍（例えば３ｍ以内）に存在する変形読取装置は、変形タグ所有者の所有する変形タグのタグ識別情報を記憶する。
【０１２０】
＜全体構成＞
以下、本実施の形態３に係る認証システムの全体構成について、図面を参照しながら説明する。
実施の形態３に係る認証システムは、実施の形態１に係る認証システムと同様に、図２に示される建物内で運用されており、実施の形態１との相違点は、図２中の読取装置のそれぞれが、変形読取装置に置き換えられている点である。
【０１２１】
従って、実施の形態３に係る認証システムが運用されている建物内に配置されている設備や読取装置等の配置状況は、図２において、読取装置を変形読取装置に置き換えることになるため、ここでは説明を省略する。
以下、実施の形態１との相違点である、変形読取装置と変形タグについて、その相違点を中心に図面を用いて詳細に説明する。
【０１２２】
＜変形読取装置＞
変形読取装置は、実施の形態１における読取装置の機能一部を変形し、実施の形態１における読取装置の有する機能に加えて、変形タグからタグ管理者信号を受信すると、モードを登録モードに設定し、タグ質問信号を送信するという機能を有するものである。
図２０は変形読取装置２１００の主要ブロックを示すブロック図である。
【０１２３】
同図に示されるように、変形読取装置２１００は、実施の形態１の読取装置３００の読取装置制御部３１０が変形読取装置制御部２１１０に置き換えられたものである。
変形読取装置制御部２１１０は、ＣＰＵがプログラムを実行することによって機能的に実現され、送受信部３１１と登録ボタン３１２と記憶部３１４とタイマ３１５とＬＦ帯送信部３２１とＵＨＦ帯受信部３２３と接続し、実施の形態１の読取装置制御部３１０の有する機能１〜機能４に加えて、以下の機能５を有する。
【０１２４】
機能５：認証モードの期間中に、ＵＨＦ帯受信部３２３が変形タグからタグ管理者信号を受信した場合に、変形読取装置２１００のモードを認証モードから登録モードに切り替えてＬＦ帯送信部３２１にタグ質問信号を送信させ、タグ管理者信号を受信してから所定時間Ｔ８（例えば１秒）後に、読取装置３００のモードを登録モードから認証モードに切り替える機能。
【０１２５】
＜変形タグ＞
変形タグは、実施の形態１におけるタグの機能の一部を変形し、実施の形態１におけるタグの有する機能に加えて、ボタン４１１が所定の操作（例えば、５秒間押下後にダブルクリック操作を受けるといった、認証システムの管理者のみに公開されている操作。：以後、「管理者操作」という。）を受けると、周期的にタグ管理者信号を送信するという機能を有するものである。
【０１２６】
図２１は変形タグ２２００の主要機能ブロックを示すブロック図である。
同図に示されるように、変形タグ２２００は、実施の形態１のタグ４００にタイマ２２４５が追加され、タグ制御部４１０が変形タグ制御部２２１０に置き換えられたものである。
タイマ２２４５は、変形タグ制御部２２１０と接続し、変形タグ制御部２２１０からの制御信号に基づいて、時間の経過を計測する機能を有する。
【０１２７】
変形タグ制御部２２１０は、ＣＰＵがプログラムを実行することによって機能的に実現され、タグ制御部４１０とＵＨＦ帯アンテナ４３２と接続し、実施の形態１のタグ制御部４１０の有する機能に加えて、ボタン４１１が管理者操作を受けた場合に、記憶部４１３に記憶されている自装置のタグ識別情報を含めたタグ管理者信号を生成し、所定時間Ｔ９（例えば１０分）の間、所定時間Ｔ１０（例えば１０秒）毎にＵＨＦ帯送信部４３１にタグ管理者信号を繰り返し送信させる機能を有する。
【０１２８】
＜通信信号＞
実施の形態３に係る認証システムで用いられる通信信号には、実施の形態１に係る認証システムで用いられる通信信号に加えて、タグ管理者信号が含まれている。
以下、タグ管理者信号について図面を用いて説明する。
図２２は、変形タグ２２００から送信されるタグ管理者信号のデータ構成図である。
【０１２９】
同図に示されるように、タグ管理者信号は、ＰＲ１００１とタグ識別情報２３１１と、ＣＲＣ情報１００２とから構成される。
タグ識別情報２３１１は、タグ管理者信号を送信した変形タグのタグ識別情報である。
＜動作＞
以下、上記構成を備える実施の形態３に係る認証システムの動作を説明する。
【０１３０】
実施の形態３に係る認証システムの主な動作は、実施の形態１に係る認証システムの主な５つの動作に加えて、（６）変形タグ２２００と変形読取装置２１００と管理サーバ１８１とを用いて行う管理者タグ登録処理動作とがある。
＜管理者タグ登録処理＞
管理者タグ登録処理とは、タグ管理者信号を発信する変形タグ２２００を所有する管理者タグ所有者と、変形タグ２２００を所有する変形タグ所有者とが、自装置の近傍（例えば３ｍ以内）に存在すると、その変形読取装置２１００は、変形タグ所有者の所有する変形タグ２２００のタグ識別情報を記憶し、また、その変形読取装置２１００と関連付けられている変形読取装置２１００もその変形タグ２２００のタグ識別情報を記憶するという動作である。
【０１３１】
管理者タグ登録動作は、変形タグ２２００が行うタグによる管理者送信信号送信処理と、変形読取装置２１００が行う読取装置による管理者タグ登録処理と、管理サーバ１８１が行う管理サーバによるタグ識別情報転送処理と、変形読取装置２１００が行う読取装置によるタグ追加処理とからなる。
これらの処理のうち、管理サーバによるタグ識別情報転送処理と読取装置によるタグ追加処理とは、既に実施の形態１において説明したので、ここではこれら処理の説明を省略し、タグによる管理者信号送信処理と読取装置による管理者タグ登録処理とを説明する。
【０１３２】
図２３は、管理者タグ登録信処理動作における変形タグ２２００が行うタグによる管理者信号送信処理を示すフローチャートである。
タグによる管理者信号送信処理は、変形タグ２２００のボタン４１１が管理者操作を受けることによってその処理を開始する。
変形タグ２２００は、ユーザによってボタン４１１が管理者操作を受け付ける（ステップＳ２４００）と、自装置の記憶部４１３に記憶されているタグ識別信号を含むタグ管理者信号を生成して送信する（ステップＳ２４１０）。
【０１３３】
変形タグ２２００は、タグ管理者信号を送信すると、タイマ２２４５を用いて時間を計測し、所定操作を受け付けてから所定時間Ｔ９（例えば１０分）以内であるか否かを調べる（ステップＳ２４２０）。
ステップＳ２４２０において、所定時間Ｔ９（例えば１０分）以内であれば（ステップＳ２４２０：Ｙｅｓ）、変形タグ２２００は、タイマ２２４５を用いて時間を計測し、所定時間Ｔ１０（例えば１秒）待機して（ステップＳ２４３０）、再びステップＳ２４１０に戻って、ステップＳ２４１０以降の処理を行う。
【０１３４】
ステップＳ２４２０において、所定時間Ｔ９（例えば１０分）以内でなければ（ステップＳ２４２０：Ｎｏ）、変形タグ２２００は、そのタグによる管理者信号送信処理を終了する。
図２４は、管理者タグ登録処理における変形読取装置２１００の行う読取装置による管理者タグ登録処理を示すフローチャートである。
【０１３５】
読取装置による管理者タグ登録処理は、変形読取装置２１００がタグ管理者信号を受信することによってその処理を開始する。
変形読取装置２１００は、タグ管理者信号を受信すると（ステップＳ２５００）、タグ管理者信号に含まれているタグ識別情報と、記憶部３１４に記憶されているタグ識別情報とが一致するか否かを調べる（ステップＳ２５０５）。
【０１３６】
ステップＳ２５１０において両者が一致する場合（ステップＳ２５０５：Ｙｅｓ）に、変形読取装置２１００は、モードを登録モードに設定し（ステップＳ２５１０）、自装置の記憶部３１４に記憶されている自装置の読取装置識別信号を含むタグ質問信号を生成して送信する（ステップＳ２５１５）。
以後、変形読取装置２１００は、変形タグ所有者の所有する変形タグのタグ識別情報を記憶するための一連の処理（ステップＳ２５２０〜ステップＳ２５４５までの処理）を行うが、これらの処理は、実施の形態１のタグ登録動作において読取装置３００が行うタグ認証処理のステップＳ１１３０〜ステップＳ１１９０と同一の処理であるので、ここではその説明を省略する。
＜補足＞
以上、本発明に係る認証システムの一実施形態として、実施の形態１、実施の形態２、実施の形態３として、３つの認証システムの例に基づいて説明したが、以下のように変形することも可能であり、本発明は上述した実施の形態で示した通りの認証システムに限られないことはもちろんである。
【０１３７】
（１）実施の形態１において、読取装置３００は、認証モードにおいて登録ボタン３１２が押下されると、モードを登録モードに設定するとしたが、例えば、ユーザから送信された読取装置３００を登録モードに切り替えさせる旨の信号を受信すると、モードを登録モードに設定するというように、ユーザから登録モード切り替えさせるためのなんらかの操作を受け付ける場合にモードを登録モードに設定することができれば、必ずしも、登録ボタン３１２が押下されると、モードを登録モードに設定するとする必要はない。
【０１３８】
（２）実施の形態１において、読取装置３００は、登録モードにおいてタグ質問信号を送信してから所定時間Ｔ７経過すると、モードを認証モードに設定するとしたが、例えば、モードを登録モードに設定してから所定時間経過すると、モードを認証モードに設定するとか、登録ボタン３１２が押下されると、モードを認証モードに設定するとか、ユーザから送信された読取装置３００を認証モードに切り替えさせる旨の信号を受信すると、モードを認証モードに設定するといったように、ユーザから登録モード切り替えさせるためのなんらかの操作を受け付ける場合にモードを認証モードに設定することも可能であり、必ずしも、タグ質問信号を送信してから所定時間Ｔ７経過すると、モードを認証モードに設定する必要はない。
【０１３９】
（３）実施の形態１において、設備として照明とエアコンと解錠装置とを用いた例を示したが、必ずしもこれらに限られる必要はなく、例えば、エスカレータや、加湿器といった設備であっても構わない。
（４）実施の形態１において、読取装置３００はユーザからの押下を受け付ける登録ボタン３１２を有する構成であるとしたが、ユーザからの意思を受け付ける機能があるものであれば、必ずしもユーザからの押下を受け付けるインターフェースである必要はない。
【０１４０】
同様に、タグ４００はユーザからの押下を受け付けるボタン４１１を有する構成であるとしたが、ユーザからの意思を受け付ける機能があるものであれば、必ずしもユーザからの押下を受け付けるインターフェースである必要はない。
（５）実施の形態１において、扉の施解錠をする解錠装置と、その扉の脇に設置されている読取装置とが、お互いにネットワーク１６１を介して接続される別々の装置である例について説明したが、例えば、解錠装置と読取装置とが専用有線で接続されている形態であるとか、例えば、解錠装置と読取装置とが一体となった装置であるといったように、必ずしもお互いにネットワーク１６１を介して接続される別々の装置である必要はない。
【０１４１】
（６）実施の形態１において、読取装置３００は、タグ認証処理において、タグ応答信号に含まれる読取装置識別信号と自装置の読取装置識別信号とが一致するか否かを調べた（ステップＳ１４３０）後に、タグ応答信号に含まれるタグ識別情報と、記憶部３１４に記憶されているタグ識別情報とが一致するか否かを調べる（ステップＳ１４４０）としたが、例えば、タグ応答信号に含まれるタグ識別情報と、記憶部３１４に記憶されているタグ識別情報とが一致するか否かを調べた後に、タグ応答信号に含まれるタグ識別情報と、記憶部３１４に記憶されているタグ識別情報とが一致するか否かを調べるといったように、タグ応答信号に含まれるタグ識別情報と、記憶部３１４に記憶されているタグ識別情報とが一致するか否かと、タグ応答信号に含まれるタグ識別情報と、記憶部３１４に記憶されているタグ識別情報とが一致するか否かとを調べることができれば、必ずしも、タグ応答信号に含まれる読取装置識別信号と自装置の読取装置識別信号とが一致するか否かを調べた後に、タグ応答信号に含まれるタグ識別情報と、記憶部３１４に記憶されているタグ識別情報とが一致するか否かを調べる必要はない。
【０１４２】
（７）実施の形態１において、タグ４００は、読取装置３００からタグ質問信号を受信すると、タグ応答信号を送信するとしたが、タグ４００は、読取装置３００からタグ質問信号を受信しなくても、定期的にタグ応答信号を送信するとしても構わないし、ボタン４１１が押下されるとタグ応答信号を送信するとしても構わない。
（８）また、前記認証システムは、さらに、前記第１読取装置を識別するための第１読取装置識別情報と前記第２読取装置を識別するための第２読取装置識別情報とを対応付けて記憶する記憶手段を有し、タグ識別情報と共に前記第１読取装置識別情報を受信した場合に、前記記憶手段に当該第１読取装置識別情報と対応付けて記憶されている前記第２読取装置識別情報を参照して、前記受信したタグ識別情報を前記第２読取装置へ送信する転送装置を備え、前記第１読取装置は、送信するタグ識別情報と共に前記第１読取装置識別情報を送信し、前記第２読取装置が受信する前記第１読取装置から送信されたタグ識別情報は、前記転送装置を経由して前記第２読取装置に対して送信されたタグ識別情報であることを特徴としてもよい。
【０１４３】
このような構成にすることによって、第１読取装置は、タグ識別情報を直接第２読取装置に送信できなくても、転送装置を中継することでタグ識別情報を第２読取装置に送信することができるという効果を有する。
（９）また、前記認証システムは、さらに、タグからタグ識別情報を受信したときに、当該タグ識別情報と自機が記憶するタグ識別情報とが一致すれば、制御信号を外部に出力し、前記第１読取装置から送信されたタグ識別情報を受信すると、受信したタグ識別情報を記憶する第３読取装置を備え、前記第１読取装置が送信するタグ識別情報の送信先は前記転送装置であり、前記転送装置の送信するタグ識別情報の送信先は前記第３読取装置を含まないことを特徴としてもよい。
【０１４４】
このような構成にすることによって、第１読取装置が記憶したタグ識別情報を、第３読取装置には記憶させることなく、第２読取装置に記憶させることができるという効果を有する。
（１０）また、前記第１読取装置は、建物内の第１地点に配置され、前記第２読取装置は、タグの所有者が前記第１地点から前記建物外へ移動する際に通行する通路上の第２地点に存在するタグと通信可能な位置に配置されていることを特徴としてもよい。
【０１４５】
このような構成にすることによって、第１地点にいるタグ所有者が、第１地点の読取装置と、第１地点から建物外へ移動する場合に通行する建物内のタグと通信可能な位置の読取装置との２つの読取装置にタグ識別情報を記憶させる必要がある場合において、前者の読取装置を第１読取装置とし、後者の読取装置を第２読取装置としておけば、タグ所有者は第１地点の読取装置にタグ識別情報を記憶させるだけで、それら両者の読取装置にタグ識別情報を記憶させることができるという効果を有する。
【０１４６】
（１１）また、前記第１読取装置は、管理用タグから送信される管理信号を受信する管理信号受信手段と、当該管理信号受信手段が前記管理信号を受信した受信時刻からの経過時間を計測するタイマとを有し、前記管理信号受信手段によって前記管理信号が受信された場合に、前記受信時刻から、前記タイマが所定の時間を計測する時刻までの期間を前記登録モードの期間とすることを特徴としてもよい。
【０１４７】
このような構成にすることによって、第１読取装置にタグ識別情報を記憶させようとするタグ所有者が管理用タグを所有する管理用タグ所有者と共に行動する場合において、タグ所有者は、管理用タグ所有者と共に第１読取装置と通信可能な位置にいるだけで、第１読取装置にタグ識別情報を記憶させることができるという効果を有する。
【符号の説明】
【０１４８】
１０１  タグ
１０２  タグ所有者
１１１〜１１７  読取装置
１３１  エアコン操作盤
１３２  照明スイッチ
１４１〜１４４  照明
１５１  エアコン
１５２  解錠装置
１６１  ネットワーク
１６２  制御線
１６３  電燈線
１７１  扉
【図１】
2011175345.tif 000003
【図２】
2011175345.tif 000004
【図３】
2011175345.tif 000005
【図４】
2011175345.tif 000006
【図５】
2011175345.tif 000007
【図６】
2011175345.tif 000008
【図７】
2011175345.tif 000009
【図８】
2011175345.tif 000010
【図９】
2011175345.tif 000011
【図１０】
2011175345.tif 000012
【図１１】
2011175345.tif 000013
【図１２】
2011175345.tif 000014
【図１３】
2011175345.tif 000015
【図１４】
2011175345.tif 000016
【図１５】
2011175345.tif 000017
【図１６】
2011175345.tif 000018
【図１７】
2011175345.tif 000019
【図１８】
2011175345.tif 000020
【図１９】
2011175345.tif 000021
【図２０】
2011175345.tif 000022
【図２１】
2011175345.tif 000023
【図２２】
2011175345.tif 000024
【図２３】
2011175345.tif 000025
【図２４】
2011175345.tif 000026